(57)【特許請求の範囲】
【請求項１】
浴室またはシャワールーム内に取付けられた保持部材と、この保持部材に回動可能に保持されたシャワーヘッド掛止用フック部材と、前記保持部材に対し前記フック部材が回動可能な状態と回動不能な状態とに切替えるための切替機構とよりなり、さらに、前記保持部材は、左右一対のアーム部とこれらアーム部にそれぞれ設けられた円形軸穴とを有するとともに、前記シャワーヘッド掛止用フック部材は、前記各円形軸穴に対応する位置に円形穴を有し、更に、前記円形軸穴および円形穴は、それぞれ左右方向に形成されたセレーションを内周面に有する一方、前記円形軸穴および円形穴の各セレーションに噛合するセレーションを有し、前記円形軸穴を貫通して前記円形穴に至る枢支部材を左右に設け、これら枢支部材を常時互いに離間する方向に付勢する弾性部材を設け、しかも、前記枢支部材は、前記フック部材のロック時において、前記枢支部材の前記セレーションが前記円形軸穴および円形穴の各セレーションに噛合した状態で前記枢支部材と前記フック部材の共周りを阻止するよう前記円形穴の前記セレーションの内側端面に係止される係止爪を有してなり、この係止爪と、前記枢支部材と、前記円形軸穴、円形穴および枢支部材のそれぞれの前記セレーションとから前記切替機構を構成してあることを特徴とするシャワーフック。
【請求項２】
前記保持部材は、吸着盤を用いて浴室またはシャワールーム内に取付けられている請求項１に記載のシャワーフック。
【請求項３】
前記保持部材は、前記浴室またはシャワールームに取付けられたパイプに沿ってスライドするスライド体に設けられている請求項１または請求項２に記載のシャワーフック。
【発明の詳細な説明】
【０００１】
【発明の属する技術分野】
この発明は、例えば浴室またはシャワールーム内で使用されるシャワーフックに関するものである。
【０００２】
【従来の技術および発明が解決しようとする課題】
シャワーヘッドを掛止するシャワーフックの一つとして、シャワーヘッドのシャワー散水位置を可変にすべく例えば浴室の壁面に取付けられた縦パイプに沿ってスライドするスライド体と共に移動するとともに、クリック機構によりスライド体に対し回動可能な状態にできるよう構成されたものがあるけれども、シャワーヘッドに使用者の手が当たった場合、シャワーフックが回動するおそれがあった。
【０００３】
また、吸着盤を用いてシャワーフックを例えば浴室またはシャワールームの壁面に取り付ける場合、壁面に対しシャワーフックをクリック機構を用いて回動させるように構成すると、回動時にシャワーフックにかかる外力によって壁面から吸着盤が外れてしまうおそれがある。
【０００４】
この発明は、シャワーヘッドに使用者の手が当たっても回動不能な状態を維持できるとともに、吸着盤を用いて取り付けた場合でも吸着盤が回動時に外れてしまうおそれがない切替機構を備えたシャワーフックを提供することを目的とする。
【０００５】
【課題を解決するための手段】
上記目的を達成するために、この発明は、浴室またはシャワールーム内に取付けられた保持部材と、この保持部材に回動可能に保持されたシャワーヘッド掛止用フック部材と、前記保持部材に対し前記フック部材が回動可能な状態と回動不能な状態とに切替えるための切替機構とよりなり、さらに、前記保持部材は、左右一対のアーム部とこれらアーム部にそれぞれ設けられた円形軸穴とを有するとともに、前記フック部材は、前記各円形軸穴に対応する位置に円形穴を有し、更に、前記円形軸穴および円形穴は、それぞれ左右方向に形成されたセレーションを内周面に有する一方、前記円形軸穴および円形穴の各セレーションに噛合するセレーションを有し、前記円形軸穴を貫通して前記円形穴に至る枢支部材を左右に設け、これら枢支部材を常時互いに離間する方向に付勢する弾性部材を設け、しかも、前記枢支部材は、前記フック部材のロック時において、前記枢支部材の前記セレーションが前記円形軸穴および円形穴の各セレーションに噛合した状態で前記枢支部材と前記フック部材の共周りを阻止するよう前記円形穴の前記セレーションの内側端面に係止される係止爪を有してなり、この係止爪と、前記枢支部材と、前記円形軸穴、円形穴および枢支部材のそれぞれの前記セレーションとから前記切替機構を構成してある。
【０００６】
【０００７】
【発明の実施の形態】
以下にこの発明の実施の形態について説明する。なお、この発明はそれによって限定されるものではない。
【０００８】
図１〜図３は、浴室またはシャワールームの壁面に、吸着盤を介して取付けられる保持部材を備えたこの発明の一実施形態を示す。
【０００９】
まず、図１において、１は、湯の温度や吐水量の調整、シャワホース２と吐水管３への切替えが簡単に行えるサーモ型湯水混合水栓で、例えば浴室４の壁５に、温度調整手段が組み込まれた水栓本体６が横置き水平状態で設置される。
【００１０】
前記水栓本体６は、筒状で、背面側に、湯接続管７を介して湯配管（図示せず）に連通する湯接続口部８と、水接続管９を介して水配管（図示せず）に連通する水接続口部１０を有する。また、水栓本体６は、下側中央位置に、水、湯、または混合水の吐水管接続口部１１を有するとともに、背面側中央位置に、シャワーホース接続口部（図示せず）を有する。更に、水栓本体６は、一端に、水温にしたり、湯温にしたり、あるいは混合水の温度調節を行うハンドル１２が設けられている。１３は、切替ハンドルで、その操作により、吐水と止水状態の切替えを行ったり、水、湯、または混合水を、吐水管側またはシャワーホース側に切り替えて供給するように構成されている。１４は、ハンドシャワ１５のシャワヘッドで、シャワーホース２の下流端に接続される。シャワヘッド１４は、浴室４の壁５に設けたシャワーフック１６に取り付けられる。１７は、シャワヘッド１４の前面に着脱自在に取り付けられたシャワ板で、多数のシャワ散水孔１８が形成されている。
【００１１】
以下、この発明の特徴的構成について説明する。
【００１２】
図１〜図３において、前記シャワーフック１６は、浴室４またはシャワールームの壁５に吸着盤２０（例えば特願平９−２９３６４４号および特願２０００−０２８０９１号明細書、図面参照）を介して取付けられた保持部材２１と、この保持部材２１に回動可能に保持されたシャワーヘッド掛止用フック部材２２と、前記保持部材２１に対し前記フック部材２２が回動可能な状態と回動不能な状態とに切替えるための切替機構とよりなる。
【００１３】
更に、前記保持部材２１は、左右一対のアーム部２３，２４と、両者２３，２４を繋ぐ取付け部５０とから構成される。前記アーム部２２および２３は、それぞれ円形軸穴２５，２６を有する。また、前記取付け部５０は、外面Ｆ’側に前記吸着盤２０を備えている。
【００１４】
前記フック部材２２は、シャワーヘッド１４を掛止する切欠２７を中央位置に有し、左右の前記各円形軸穴２５，２６に対応する位置に円形穴３０，３１を有する。２８および２９は、円形穴３０および３１のそれぞれの底部２８，２９である。円形軸穴２５と円形軸穴２６は同一形状である。また、円形穴３０と円形穴３１も同一形状である。
なお、この実施形態では、使用者がシャワーヘッド１４のグリップ部１４ａを持ちながらグリップ部１４ａを前記切欠２７の上方に位置させた状態で、シャワーホース２を前記切欠２７に通した後グリップ部１４ａを前記切欠２７の上側から前記切欠２７内に挿入することでシャワーヘッド１４をフック部材２２に掛止できる。
【００１５】
前記円形軸穴２５および２６は、それぞれ左右方向（矢印Ｓで示す方向）に形成されたセレーションｍおよびｎを内周面の互いに近接する位置に有する。すなわち、前記円形軸穴２５は、前記Ｓ方向に形成されたセレーションｍを円形軸穴２５の内周面の内側半分の環状領域に有する。前記円形軸穴２６は、前記Ｓ方向に形成されたセレーションｎを円形軸穴２６の内周面の内側半分の環状領域に有する。
【００１６】
また、前記円形穴３０および３１は、それぞれ前記Ｓ方向に形成されたセレーションｍ’およびｎ’を内周面の互いに離間する位置に有する。すなわち、前記円形穴３０は、前記Ｓ方向に形成されたセレーションｍ’を円形穴３０の内周面の外側半分の環状領域に有する。前記円形穴３１は、前記Ｓ方向に形成されたセレーションｎ’を円形穴３１の内周面の外側半分の環状領域に有する。
【００１７】
そして、フック部材２２は、円形穴３０が円形軸穴２５に連通するとともに円形穴３１が円形軸穴２６に連通する状態で、保持部材２１の前記取付け部５０とアーム部２３，２４とによって囲まれた空間Ｇに設置される。この場合、フック部材２２の左側面Ａとアーム部２３の内側面Ｂ同士は当接した状態にあるとともに、フック部材２２の右側面Ｃとアーム部２４の内側面Ｄ同士も当接した状態にある。また、フック部材２２は、保持部材２１の取付け部５０の内面Ｆに阻止されずにフック部材２２が回動するのを許容するよう内向き曲面部分ｅを、背面Ｅから下面Ｑに跨がり有する。
【００１８】
３３は、前記円形軸穴２５および円形穴３０の各セレーションｍ，ｍ’に噛合するセレーションｍ’’を外周面Ｘの円周方向に有するほぼキャップ状の枢支部材で、前記円形軸穴２５を貫通して前記円形穴３０に至るよう配置されている。前記枢支部材３３は、円形穴３０の底部２８に開口３３ａを対向させた形で配置される。前記枢支部材３３は、セレーションｍ’’を外周面Ｘの内側半分（開口３３ａ側）の環状領域に有する。更に、セレーションｍ’’には、中心角で９０°の間隔で四つの係止爪４０を有する係止部材４１が形成されている。
【００１９】
一方、３４は、前記円形軸穴２６および円形穴３１の各セレーションｎ，ｎ’に噛合するセレーションｎ’’を外周面Ｙの円周方向に有するほぼキャップ状の枢支部材で、前記円形軸穴２６を貫通して前記円形穴３１に至るよう配置されている。前記枢支部材３４は、円形穴３１の底部２９に開口３４ａを対向させた形で配置される。前記枢支部材３４は、セレーションｎ’’を外周面Ｙの内側半分（開口３４ａ側）の環状領域に有する。更に、セレーションｎ’’には、中心角で９０°の間隔で四つの係止爪４２を有する係止部材４３が形成されている。
【００２０】
更に、枢支部材３３は環状の内周溝３６を有するとともに、枢支部材３４は環状の内周溝３７を有する。
【００２１】
前記セレーションｍ、セレーションｎ、セレーションｍ’、セレーションｎ’、セレーションｍ’’およびセレーションｎ’’は同一形状である。また、枢支部材３３と枢支部材３４は同一形状である。
【００２２】
そして、前記一対の枢支部材３３，３４が、フック部材２２の上下方向（矢印Ｔで示す方向）に回動させる枢支軸を構成する。
【００２３】
以下、前記保持部材２１に対し前記フック部材２２が前記Ｔ方向に回動可能な状態と回動不能な状態とに切替えるための切替機構について説明する。
【００２４】
４４および４５は、一対の枢支部材３３，３４を常時互いに離間する方向Ｋ，Ｋ’に付勢する一対の弾性部材である。
【００２５】
而して、枢支部材３３の前記開口３３ａを介して弾性部材４４の一端を内周溝３６に嵌挿させるとともに、弾性部材４４の他端を円形穴３０の底部２８に当接させることにより、弾性部材４４は枢支部材３３と円形穴３０間に介装される。  このとき、枢支部材３３は、弾性部材４４の付勢力によってＫ方向に付勢されるが、前記四つの係止爪４０がセレーションｍ’の内側環状端面６０〔図３（Ａ）参照〕に係止される。すなわち、セレーションｍ’’がセレーションｍ，ｍ’に噛合しながら、弾性部材４４の付勢力によって係止爪４０がセレーションｍ’の内側環状端面６０を押圧する。
【００２６】
また、枢支部材３４の前記開口３４ａを介して弾性部材４５の一端を内周溝３７に嵌挿させるとともに、弾性部材４５の他端を円形穴３１の底部２９に当接させることにより、弾性部材４５は枢支部材３４と円形穴３１間に介装される。
このとき、枢支部材３４は、弾性部材４５の付勢力によってＫ’方向に付勢されるが、前記四つの係止爪４２がセレーションｎ’の内側環状端面６０’〔図３（Ａ）参照〕に係止される。すなわち、セレーションｎ’’がセレーションｎ，ｎ’に噛合しながら、弾性部材４５の付勢力によって係止爪４２がセレーションｎ’の内側環状端面６０’を押圧する。
【００２７】
これにより、前記枢支部材３３，３４と前記フック部材２２の共まわりを阻止できる。この状態がフック部材２２が前記Ｔ方向に回動不能な状態で、フック部材２２のロック状態である。このロック状態では、例えばフック部材２２に掛止されているシャワーヘッド１４に使用者の手が当たってもシャワーフック１６が回動することはない。
【００２８】
前記係止爪４０，４２、枢支部材３３，３４、円形軸穴２５，２６、円形穴３０，３１、セレーションｍ，ｍ’，ｍ’’、ｎ，ｎ’，ｎ’’および弾性部材４４，４５とから前記切替機構が構成される。
【００２９】
一方、弾性部材４４および４５の付勢力に抗して枢支部材３３および３４を互いに近接する方向に押圧するだけの力のいらない簡単な切替操作を使用者が行うことにより、フック部材２２をロック状態から前記Ｔ方向に回動させることができる。この場合、枢支部材３３および３４を押圧するのに必要な押圧力は、従来クリック機構によりシャワーフックを回動させる場合に必要な回動力に比して小さくてすむという利点を有する。すなわち、使用者は従来に比して容易な切替操作でフック部材２２を回動させることができる。
【００３０】
そして、使用者が、枢支部材３３および３４を互いに近接する方向に押圧することにより、例えば枢支部材３３のセレーションｍ’’は、セレーションｍとの噛合が解除されてセレーションｍ’のみと噛合するとともに、フック部材２２に設けたセレーションｍ’の内側環状端面６０への四つの係止爪４０による押圧が解除される。同時に、枢支部材３４側でも、フック部材２２に設けたセレーションｎ’の内側環状端面６０’への四つの係止爪４２による押圧が解除される。この場合、枢支部材３３および３４を押圧しながら前記Ｔ方向の所望の位置までフック部材２２を使用者が案内操作するのが好ましい。
【００３１】
このように、枢支部材３３および３４の押圧を解除するまではフック部材２２を前記Ｔ方向に回動させることができ、枢支部材３３，３４の押圧を解除した時点でフック部材２２をロック状態にできることから、フック部材２２を任意の位置にセットすることができる利点を有する。
【００３２】
ところで、前記ロック状態の解除は、壁面５から吸着盤２０が外れるのを防止しながら行える。すなわち、ロック状態の解除にあたり、枢支部材３３および３４に使用者の押圧力がかかるだけでその押圧力は、フック部材２２および保持部材２１にほとんど伝達しないので、押圧力が保持部材２１に伝わって壁面５から吸着盤２０が外れてしまうといった事態を確実に回避できる。
【００３３】
そして、例えば、標準身長の大人が使用していたシャワーフック１６の状態から子供がシャワーフック１６を使用できる状態にするには、壁面５に対するシャワーヘッド１４の傾斜角度θが大きくなるようフック部材２２を回動させることで図１に実線で示す状態から図１に二点鎖線で示す状態に容易に変更できる。
【００３４】
この実施形態では、シャワーホース２を前記切欠２７に通しながらフック部材２２の上側からシャワーヘッド１４をフック部材２２に掛止する構成のものを示した。
【００３５】
図４、図５は、シャワーホース２をフック部材２２’の上側からだけではなく、フック部材２２’の正面側からもシャワーヘッド１４（図１参照）をフック部材２２’に掛止できるよう構成したこの発明の他の実施形態を示す。なお、図４、図５において、図１〜図３に示した符号と同一のものは同一または相当物である。
【００３６】
図４、図５において、シャワーフック１６’は、浴室４またはシャワールームの壁５に吸着盤２０を介して取付けられた保持部材２１’と、この保持部材２１’に回動可能に保持されたシャワーヘッド掛止用フック部材２２’と、前記保持部材２１’に対し前記フック部材２２’が回動可能な状態と回動不能な状態とに切替えるための切替機構とよりなる。この切替機構は、上記実施形態で示した切替機構４０，４２、３３，３４、２５，２６、３０，３１、ｍ，ｍ’，ｍ’’、ｎ，ｎ’，ｎ’’、４４，４５と同一構成である。
【００３７】
更に、前記保持部材２１’は、吸着盤２０と、スペーサ５１と、左右一対のアーム部２３’，２４’と、両者２３’，２４’を繋ぐ取付け部５０’とから構成される。なお、５２は、吸着盤２０を壁５に設置するための押しボタンで、これを押すことにより、スペーサ５１内に設けた連動機構を介して吸着盤２０が壁５に吸着する。５３は、吸着盤２０の外周側部に設けた吸着盤引き剥がし用のリップで、これをつまみ上げることにより、吸着盤２０を壁５から簡単に取り外すことができる。
【００３８】
一方、フック部材２２’は、シャワーヘッド１４（図１参照）を掛止する切欠２７’を中央正面位置に有するとともに、シャワーヘッド１４をキャッチし易くするために左右に広がった一対のアーム部材６０，６１を有する。すなわち、フック部材２２’の正面側からもシャワーヘッド１４を掛止できるよう前記アーム部材６０，６１の先端部６０ａ，６１ａは互いに離間する方向に末広がり状に開いており、切欠２７’の入口６６を形成している。そして、この入口６６からシャワーヘッド１４のグリップ部１４ａ（図１参照）を差し込むとアーム部材６０，６１は互いに離間する方向に広がり、その後グリップ部１４ａが切欠２７’内に入るとアーム部材６０，６１は互いに近接する方向に閉じて切欠２７’内のグリップ部１４ａを挟むよう作用する。また、前記アーム部材６０，６１に浴室４またはシャワールームで使う小物を掛けることができ、大変便利である。
【００３９】
図４（Ｂ）には、例えば三段階に角度調節可能なフック部材２２’を示している。
【００４０】
なお、上記各実施形態では、浴室４またはシャワールームの壁面５に直接取付けたシャワーフック１６を示したが、この発明では、浴室の壁面に取付けた手すり等の縦パイプにに沿って縦方向にスライドするスライド体の一側に前記吸着盤２０を介して前記保持部材２１を取付けたり、スライド体の一側に直接前記保持部材２１を取付けるように構成してもよい。
【００４１】
また、この発明では、前記吸着盤２０を用いることなく前記保持部材２１をを前記スライド体と一体に構成してもよい。
【００４２】
【発明の効果】
以上説明したようにこの発明は、浴室またはシャワールーム内に保持部材を取付け、この保持部材にシャワーヘッド掛止用フック部材を回動可能に保持するとともに、前記保持部材に対し前記フック部材が回動可能な状態と回動不能な状態とに切替えるための切替機構を設けたので、シャワーヘッドのシャワー散水位置を任意に可変できる一方、フック部材に掛止されているシャワーヘッドに使用者の手が当たっても、フック部材が回動不能な状態を維持できてシャワーフックが回動することはない。
【００４３】
また、この発明は、吸着盤を用いて浴室またはシャワールーム内に保持部材を取付けた場合、前記切替機構により、フック部材および保持部材にほとんど外力がかからない状態で前記フック部材を回動不能な状態から回動可能な状態に切替えできるので、浴室またはシャワールームの例えば壁面から吸着盤が外れてしまうおそれはなくなる。
【図面の簡単な説明】
【図１】    この発明の一実施形態のシャワーフックの使用の状態を示す斜視図である。
【図２】    上記実施形態における要部分解斜視図である。
【図３】    （Ａ）は、上記実施形態における全体構成説明図である。
（Ｂ）は、上記実施形態における要部構成説明図である。
【図４】    （Ａ）は、この発明の他の実施形態を示す斜視図である。
（Ｂ）は、上記他の実施形態における使用状態を示す構成説明図である。
【図５】    （Ａ）は、上記他の実施形態を示す平面図である。
（Ｂ）は、上記他の実施形態を示す正面図である。
（Ｃ）は、上記他の実施形態を示す底面図である。
（Ｄ）は、上記他の実施形態を示す右側面図である。
【符号の説明】
４…浴室、５…壁、１４…シャワーヘッド、１６…シャワーフック、２０…吸着盤、２１…保持部材、２２…シャワーヘッド掛止用フック部材、２５，２６、３０，３１、３３，３４、４０，４２、ｍ，ｍ’，ｍ’’、ｎ，ｎ’，ｎ’’…切替機構。
【図１】
0003893036.tif 000002
【図２】
0003893036.tif 000003
【図３】
0003893036.tif 000004
【図４】
0003893036.tif 000005
【図５】
0003893036.tif 000006